(57)【要約】【課題】再送が行われる場合に、受信地域毎に有用な情報を得ることができる携帯受信装置および放送受信システムを提供する【解決手段】本発明のデジタル放送受信装置は、放送装置からの放送波を受信して放送再送波を再送し、再送する放送再送波に関する補助情報を送信する再送装置からの補助情報を取得する情報取得手段と、情報取得手段で取得した補助情報を用いて、再送装置からの放送再送波または放送装置からの放送波を受信する放送受信手段と、を備える。【選択図】図１
2006324740.tif 000002
【特許請求の範囲】
【請求項１】
放送装置からの放送波を受信して放送再送波を再送し、前記再送する放送再送波に関する補助情報を送信する再送装置からの補助情報を取得する情報取得手段と、
前記情報取得手段で取得した補助情報を用いて、前記再送装置からの放送再送波または前記放送装置からの放送波を受信する放送受信手段と、
を備えるデジタル放送受信装置。
【請求項２】
前記情報取得手段は、前記放送受信手段で受信可能なチャンネルに関する情報を前記補助情報として取得する、
請求項１に記載のデジタル放送受信装置。
【請求項３】
再送装置は、前記放送装置から受信した放送波に基づいて、チャンネルに関する情報を生成し、前記生成されたチャンネル情報を補助情報として送信する、
請求項１または２に記載のデジタル放送受信装置。
【請求項４】
前記放送装置から送信される放送波は、ネットワーク情報を含み、
前記放送再送装置は、前記放送波に含まれるネットワーク情報を置換し、前記置換して得た情報を補助情報に含めて送信する、
請求項１〜３のいずれかに記載のデジタル放送受信装置。
【請求項５】
前記放送装置から送信される放送波は、ネットワーク情報を含み、
前記放送再送装置は、前記放送波に含まれるネットワーク情報を置換し、前記置換して得た情報を前記放送再送波として送信する、
請求項１〜３のいずれかに記載のデジタル放送受信装置。
【請求項６】
前記ネットワーク情報を置換して得られた情報は、携帯受信端末向けデジタル放送規格のオプション規格のいずれかを示す情報である、
請求項４または５に記載のデジタル放送受信装置。
【請求項７】
放送波を送信する放送装置と、
前記送信された放送波を受信して放送再送波を再送し、前記再送する放送再送波に関する補助情報を送信する再送装置と、
デジタル放送受信装置とを備える放送受信システムであって、
前記デジタル放送受信装置は、
前記再送装置からの補助情報を取得する情報取得手段と、
前記情報取得手段で取得した補助情報を用いて、前記再送装置からの放送再送波または前記放送装置からの放送波を受信する放送受信手段と、
を備える放送受信システム。
【発明の詳細な説明】
【技術分野】
【０００１】
本発明は、電波状況が不安定な環境で受信状態を良好にするために設置するギャップフィラーを用いてユーザーの利便性を向上する携帯型デジタル放送受信装置（以下、携帯受信装置)と放送受信システムに関するものである。
【背景技術】
【０００２】
２００３年１２月より固定型デジタル放送受信装置(以下、固定受信装置)用の地上波デジタル放送が立ち上がり、次のサービスとして携帯受信装置用の地上波デジタル放送が立ち上がろうとしている。携帯受信装置はこれまでの固定受信装置とは異なり、移動しながら使用することが前提となる。前記前提に伴って携帯受信装置が固定受信装置と大きく異なる点としては、「移動することにより電波状況が頻繁に変化する」「固定受信機のような大きなアンテナを搭載することが出来ないため、受信が不安定になりやすい」という２点がある。前記電波状況が不安定な状態は、モバイル機器では一般的であり、これを改善するために、ギャップフィラーと呼ばれる電波を再送する装置を用いて、電波の届かない地域をなるべく少なくするように取り組みが行われている。
【特許文献１】特開平１１−６８６８３号公報
【発明の開示】
【発明が解決しようとする課題】
【０００３】
本発明は、再送が行われる場合に、受信地域毎に有用な情報を得ることができる携帯受信装置および放送受信システムを提供することを目的とする。
【課題を解決するための手段】
【０００４】
本発明のデジタル放送受信装置は、放送装置からの放送波を受信して放送再送波を再送し、再送する放送再送波に関する補助情報を送信する再送装置からの補助情報を取得する情報取得手段と、情報取得手段で取得した補助情報を用いて、再送装置からの放送再送波または放送装置からの放送波を受信する放送受信手段と、を備える。
【発明の効果】
【０００５】
以上の構成により、本発明は、受信地域毎に有用な情報を得ることができる携帯受信装置および放送受信システムを得ることができる。
【発明を実施するための最良の形態】
【０００６】
携帯型デジタル放送受信装置に、例えば「ユーザーが現在受信可能なチャンネルに関する情報」に示されるようなユーザーの利便性を向上するための情報を、ギャップフィラーを通じて提供することにより、携帯受信装置のユーザー利便性を向上する。
【０００７】
（実施の形態１）
図１は本発明の実施の形態１のデジタル放送受信装置と放送受信システムを説明するための図であり、１０１は放送を送信する放送装置、１０２は放送装置からの電波を受けて再送する再送装置、１０３は携帯型デジタル放送を受信する携帯型デジタル放送受信装置、１０４は放送装置１０１から出力される放送波、１０５は再送装置１０２から出力される放送再送波、１０６は再送装置１０２から出力される補助情報である。
【０００８】
図２は、実施の形態１の携帯型デジタル放送受信装置の詳細構成を説明するための図であり、２０１は携帯型デジタル放送を入力する放送入力端子、２０２は補助情報を入力するための補助情報入力端子、２０３は放送入力端子２０１からの放送を受信してユーザーに映像・音声などを提供する放送受信部、２０４は受信装置内の各デバイスを制御するＣＰＵ、２０５は各種情報を記録するメモリー、２０６は補助情報入力端子２０２からのデータを受信する補助情報受信部、２０７は放送受信部２０３の出力を画像・音声としてユーザーに提供する出力部、２０８は携帯型デジタル放送受信装置をユーザーが制御するために使用する操作ボタンである。
【０００９】
図３は、実施の形態１の再送装置の詳細構成を説明するための図であり、３０１は放送電波を入力する放送入力端子、３０２は入力した放送電波を再出力する放送送出部、３０３は放送送出部３０２の出力を外部出力する放送出力端子、３０４は再送装置内の各デバイスを制御するＣＰＵ、３０５は各種情報を記録するメモリー、３０６は放送入力端子の出力から補助情報を作成する補助情報作成部３０６、３０７は補助情報作成部３０６の出力を送出する補助情報送出部、３０８は補助情報３０７の出力を外部出力する補助情報出力端子である。
【００１０】
放送装置１０１からは、再送装置１０２や携帯型デジタル放送受信装置１０３に向けて、携帯受信装置向けデジタル放送の放送波１０４が送出される。再送装置１０２は、放送入力端子３０１から入力された放送波１０４に対して、ＣＰＵ３０４の命令に従って、放送送出部３０２と補助情報作成部３０６と補助情報送出部３０７を動作させることにより、放送再送波１０５と補助情報１０６を出力する。ここで、放送送出部３０２の動作は、従来例に記載したギャップフィラー同様で、入力された放送波１０４を再送する動作を行う。一方、補助情報作成部３０６では、例えば受信した放送波１０４内で現在受信可能なチャンネルを調べ、その情報をチャンネルリストとしてメモリー３０５に蓄積するとともに、補助情報送出部３０７に出力する。一般にデジタル放送受信装置では、選局を簡易化するために、受信可能なチャンネルをスキャンしてチャンネルリストを作成するという手法を行っている。しかしながら、チャンネルリストを作成するために行うチャンネルスキャンは、物理チャンネルの全てについて、全ての変調モードで受信可能かどうかを確認して作成する必要があるため、作成には非常に長い時間を必要とする。そこで、そのチャンネルリスト作成を高速化するために、固定受信装置ではユーザーに地域番号を入力させてデフォルトのチャンネルリストを持ち、それを基にチャンネルスキャンを省略するという手段を用いている。しかしながら、携帯受信装置では受信の電波状況が悪い、自身が移動しており現在確実に受信できるチャンネルを確実に知ることが出来ない等の理由から、前述の地域番号を用いたデフォルトのチャンネルリストを用いることは、必ずしも有効な手段であるとは限らない。そこで、本実施例に示すように、ギャップフィラーから、現在受信可能なチャンネルを送信することにより、ユーザーが長い時間を必要とするチャンネルスキャンを実施する必要がなく、確実に現在視聴可能なチャンネルを知ることが出来るので、ユーザーの利便性を向上できる。
【００１１】
なお、補助情報作成３０６は、放送波１０４内の受信可能チャンネルに関する情報を作成したが、その他のユーザーの利便性を向上する情報であってもよい。
【００１２】
次に、携帯型デジタル放送受信装置１０３の動作を説明する。携帯型デジタル放送受信装置１０３では、放送再送波１０５が放送入力端子２０１から、ＣＰＵ２０４の指令に従って放送受信部２０３が動作することにより、放送局が送出した映像・音声などの情報を出力部２０７を通じてユーザーに提供する。さらに、補助情報入力端子２０２から入力された補助情報１０５を、ＣＰＵ２０４の命令に従って補助情報受信部２０６が動作することにより、再送装置１０２からの携帯受信装置向けデジタル放送の受信に関する情報を受け取り、メモリー２０５に記憶する。この受信に関する情報が、例えば前述したチャンネルリストである場合には、ユーザーはチャンネルスキャンを行う必要がなく、メモリー２０５に記憶された情報に従って、直ぐに選局できるというメリットを提供できる。なお、チャンネルなどユーザーが選択するものは、実際の受信機では操作ボタン２０８をユーザーが操作して実施することが多いため、受信に関する情報を効果的に設定することにより、受信機のユーザーインターフェースの改善にもつながる。
【００１３】
以上のように、本実施の形態１の携帯型デジタル放送受信装置１０３は、補助情報受信部２０６と、放送受信部２０３とを備える。補助情報受信部２０６は、再送装置１０２からの補助情報１０６を取得する。再送装置１０２は、放送装置１０１からの放送波１０４を受信して放送再送波１０５を再送し、再送する放送再送波１０５に関する補助情報１０６を送信する。放送受信部２０３は、補助情報受信部２０６で取得した補助情報１０６を用いて、再送装置１０２からの放送再送波１０５または放送装置１０１からの放送波１０４を受信する。
【００１４】
また、本実施の形態１の携帯型デジタル放送受信装置１０３における補助情報受信部２０６は、放送受信部２０３で受信可能なチャンネルに関する情報を補助情報１０６として取得してもよい。
【００１５】
また、本実施の形態１における補助情報受信部２０６は、再送装置１０２は、放送装置１０１から受信した放送波１０４に基づいて、チャンネルに関する情報を生成し、生成されたチャンネル情報を補助情報１０６として送信してもよい。
【００１６】
また、本実施の形態１における放送装置１０１から送信される放送波１０４は、ネットワーク情報を含んでもよく、この場合、再送装置１０２は、放送波１０４に含まれるネットワーク情報を置換し、置換して得た情報を補助情報１０６に含めて送信してもよい。
【００１７】
また、本実施の形態１における放送装置１０１から送信される放送波１０４は、ネットワーク情報を含んでもよく、この場合、再送装置１０２は、放送波１０４に含まれるネットワーク情報を置換し、置換して得た情報を放送再送波１０５として送信してもよい。
【００１８】
また、本実施の形態１におけるネットワーク情報を置換して得られた情報は、携帯受信端末向けデジタル放送規格のオプション規格のいずれかを示す情報であってもよい。
【００１９】
なお、放送受信部２０３は本発明の放送受信手段の一例である。補助情報受信部２０６は本発明の情報取得手段の一例である。
【００２０】
なお、出力部２０７として、図２（ｂ）で、液晶ディスプレイ２０７とスピーカー２０７をデバイスとして記載したが、これらは本発明の出力部の一例であり、他のデバイスでももちろん同じ効果を実現できる。
【００２１】
なお、再送措置１０２から携帯型デジタル放送受信装置１０３への情報伝達の方法は、特に特定するものではなく、例えば無線ＬＡＮやＢｌｕｅｔｏｏｔｈなどを使用することにより、ユーザーに情報を取得するための費用負担を強いることなく実現することが可能となる。
【００２２】
なお上記説明では、一例としてチャンネルリストを使用したが、ユーザーの利便性を向上させるようなデータであれば何でも良い。
【００２３】
さらに、再送装置１０２が放送波の中に含まれているＮＩＴと呼ばれる放送の情報を、放送されている全局の情報を含むように変更して置換しても、上記のチャンネルリストを送信する場合と同様の効果を得ることが可能となる。その場合には、携帯受信装置向けデジタル放送では必須とはなっていないＮＩＴの他チャンネルの情報を記述する識別子を有効利用することにより、より簡単に実現することが可能となる。その場合には、再送装置１０２からは、補助情報は送出せずに放送再送波１０５に情報を重畳することになるので、補助入力端子２０２と補助情報受信部２０６の機能は放送受信部２０３で行われる構成となる。
【００２４】
以上のように、本発明のデジタル放送受信装置と放送受信システムは、携帯型デジタル放送受信装置に、チャンネルリストなどの情報をギャップフィラーを通じて送信するシステムを通じて提供することにより、携帯受信装置のユーザー利便性を向上することが可能となる。
【００２５】
なお、上記説明は、携帯受信装置用の地上波デジタル放送を例に説明したが、電波を再送するシステムであれば同様のサービスを提供することが可能である。
【００２６】
要は、携帯型デジタル放送受信装置１０３が再送装置１０２から受信機のユーザーの利便性を向上させるデータを受領して、ユーザーに提供できればよい。
【産業上の利用可能性】
【００２７】
本発明の携帯型デジタル放送受信装置と付加サービス提供システムは、電波の弱い地域で電波を再送するための装置を利用して、ユーザーの利便性を向上するものであり、携帯受信装置用の地上波デジタル放送以外にも適用でき有用である。
【図面の簡単な説明】
【００２８】
【図１】デジタル放送受信装置と放送受信システムの第１の実施方法を示した説明図
【図２】携帯型デジタル放送受信装置の第１の実施方法を示した説明図
【図３】再送装置の第１の実施方法を示した説明図
【符号の説明】
【００２９】
１０１    放送装置
１０２    再送装置
１０３    携帯型デジタル放送受信装置
１０４    放送波
１０５    放送再送波
１０６    補助情報
２０１、３０１    放送入力端子
２０２    補助情報入力端子
２０３    放送受信部
２０４、３０４    ＣＰＵ
２０５、３０５    メモリー
２０６    補助情報受信部
２０７    出力部
２０８    操作ボタン
３０２    放送送出部
３０３    放送出力端子
３０６    補助情報作成部
３０７    補助情報送出部
３０８    補助情報出力端子
【図１】
2006324740.tif 000003
【図２】
2006324740.tif 000004
【図３】
2006324740.tif 000005